(57)【特許請求の範囲】
【請求項１】
底面に吸込口を有する床ノズル本体と、前記吸込口の前部及び／又は後部に前記床ノズル本体の底面より出没自在に設けた床拭き部と、前記床ノズル本体の走行方向を検知する走行方向検知部とを備え、前記走行方向検知部を、前記床ノズル本体に回転自在に取着されたローラーと、前記ローラーの周面に設けられ床面に接するリップと、前記ローラーの回動を前記床拭き部に伝達する回転連結部とから構成し、前記床ノズル本体の走行方向と反対側の床拭き部が前記リップによるローラーの回動で突出するように構成した電気掃除機用床ノズル。
【請求項２】
床拭き部が床ノズル本体底面より突出しない方向に前記ローラーの回転を附勢するばね体を備え、リップが床面と接しなくなると床ノズルが没することを特徴とする請求項１に記載の電気掃除機用床ノズル。
【発明の詳細な説明】
【０００１】
【発明の属する技術分野】
本発明は、電気掃除機用床ノズルに関するものである。
【０００２】
【従来の技術】
従来、この種の電気掃除機用床ノズルは、実開昭６０−９４４８号公報に示すものがあった。この構成を図７により説明する。すなわち、拭き掃除用のカバー２が床ノズル本体１全体を覆うように取り付けられている。このカバー２の取り付け、取り外しのために、カバー２の一部にファスナー３を設け、このファスナー３を開閉することにより床ノズル本体１に対して着脱自在に取り付け可能としていた。また、カバー２の床ノズル本体１の底面に対応する部分には拭き効果の得られるような材料で構成していた。
【０００３】
また、実開平２−５５８６１号公報に示す電気掃除機用床ノズルもあった。この構成を図８により説明する。すなわち、床ノズル本体４の底面とモップ５の上面にそれぞれ面ファスナー６を設け、この面ファスナー６によってモップ５を床ノズル本体４の底面に着脱自在に取り付けていた。
【０００４】
以上の構成によって、床拭き時には拭き掃除用のカバー２を床ノズル本体１にかぶせてファスナー３によって装着したり、またモップ５を面ファスナー６によって床ノズル本体４底面に固定していた。
【０００５】
【発明が解決しようとする課題】
しかし、このような構成では、拭き掃除用のカバー２やモップ５が床ノズル本体１、４の底面全体を覆うことになり、塵埃の種類によっては拭き掃除用のカバー２やモップ５が塵埃を押してしまい、十分に吸引できないことがあった。
【０００６】
本発明は上記問題点を解決するもので、塵埃の吸引と床拭きの両方を効率的に行う電気掃除機用床ノズルを提供することを目的とする。
【０００７】
【課題を解決するための手段】
上記目的を達成するために本発明は、底面に吸込口を有する床ノズル本体と、前記吸込口の前部及び／又は後部に前記床ノズル本体の底面より出没自在に設けた床拭き部と、前記床ノズル本体の走行方向を検知する走行方向検知部とを備え、前記走行方向検知部を、前記床ノズル本体に回転自在に取着されたローラーと、前記ローラーの周面に設けられ床面に接するリップと、前記ローラーの回動を前記床拭き部に伝達する回転連結部とから構成し、前記床ノズル本体の走行方向と反対側の床拭き部が前記リップによるローラーの回動で突出するように構成したもので、床ノズルの進行方向に対して床拭き部が吸込口より前方に位置する場合には、走行方向検知部が床拭き部を床ノズル本体１の底面より没するようにするので、床拭き部により床上の塵埃が押されて吸込口から吸引されることがないようにしている。また、進行方向に対して床拭き部が吸込口の後方に位置する場合には、走行方向検知部が床拭き部を床ノズル本体１の底面より突出させるので、床拭き部により床上を拭き取ることができるとともに、床拭き部は吸込口より後に位置することになるので、床上の塵埃が吸込口に至るまでに床拭き部が押し出してしまうこともない。
【０００８】
【発明の実施の形態】
本発明の請求項１記載の発明は、底面に吸込口を有する床ノズル本体と、前記吸込口の前部及び／又は後部に前記床ノズル本体の底面より出没自在に設けた床拭き部と、前記床ノズル本体の走行方向を検知する走行方向検知部とを備え、前記走行方向検知部を、前記床ノズル本体に回転自在に取着されたローラーと、前記ローラーの周面に設けられ床面に接するリップと、前記ローラーの回動を前記床拭き部に伝達する回転連結部とから構成し、前記床ノズル本体の走行方向と反対側の床拭き部が前記リップによるローラーの回動で突出するように構成したもので、この構成によれば、床ノズルの進行方向に対して床拭き部が吸込口より前方に位置する場合には、走行方向検知部が床拭き部を床ノズル本体１の底面より没するようにするので、床拭き部により床上の塵埃が押されて吸込口から吸引されることがない。また、進行方向に対して床拭き部が吸込口の後方に位置する場合には、走行方向検知部が床拭き部を床ノズル本体１の底面より突出させるので、床拭き部により床上を拭き取ることができるとともに、床拭き部は吸込口より後に位置することになるので、床上の塵埃が吸込口に至るまでに床拭き部が押し出してしまうこともない。
【０００９】
本発明の請求項２記載の発明は、床拭き部が床ノズル本体底面より突出しない方向に前記ローラーの回転を附勢するばね体を備え、リップが床面と接しなくなると床ノズルが没することを特徴としたもので、この構成によれば、床ノズル本体を持ち上げ、リップを介して伝達されていた床ノズル本体の移動力がローラーに伝わらなくなると、ばね体がローラーを回動させて床拭き部が突出しない方向、すなわち床ノズル本体内に収納されるように移動させるので、床ノズル本体を持ち上げて移動する場合に、不用意に床拭き部が他の物に当たり、破損したりすることを防止できる。
【００１０】
【実施例】
（実施例）
以下、本発明の第１の実施例を図１〜３を用いて説明する。
【００１１】
図において、１１は床ノズル本体で、その底面には吸込口２２を設けている。この吸込口２２は床ノズル本体１１の後方に回動自在に設けた接続管２１を介して電気掃除機本体側の吸引力が作用するようになっている。１２は床拭き部で、床ノズル本体１１の底面に出没自在に取り付けられている。床拭き部１２は吸込口２２の前方および後方にそれぞれ配されており、これら床拭き部１２を収納するために、床ノズル本体１１の前後には収納用凹部が設けられている。１４は床ノズル走行方向検知部で、回転自在なローラー２３と、このローラー２３の周面に設けられ、床ノズル本体１の底面よりと出するリップ１５と、リップ１５により回転するローラー２３の回転を受け、この回転を床拭き部１２の出没方向の動きに変換する回転連結部１６から構成されている。
【００１２】
床ノズル本体１１の前後に設けられた収納用凹部１３は、床ノズル本体１１の底面に開口部を有しており、しかも、この収納用凹部内を断面略くの字状の床拭き部１２が摺動するようになっている。床拭き部１２は断面くの字状とすることにより、床面と接する面が床面と平行となり、斜め方向に床拭き部１２を移動させても床面接する面とは常に平行に保たれ、確実に床拭き部１２が面接触できるように構成している。
【００１３】
上記構成による作用は以下の通りである。
【００１４】
床ノズル本体１１の前進時には図２に示すように、床ノズル本体１１の底面から突出し、床面に接地するリップ１５は、床ノズル本体１１の前進方向とは逆方向（矢印Ａ）へと移動する。ここで、前方の走行方向検知部１４のリップ１５は最初から矢印Ａに移動しているので（図１参照）、これ以上後方に移動することはなく、後方の走行方向検知部１４のリップ１５のみが移動する。したがって、前進時には後方の走行方向検知部１４のみが動作することとなり、ローラー２３、回転連結部１６がリップ１５の動きを床拭き部１２に伝達し、後方の床拭き部１２が床ノズル本体１１の底面から突出する。
【００１５】
逆に、床ノズル本体１１の後進時には図３に示すように、前方のリップ１５のみが後進方向と逆方向（矢印Ｂ）に移動する。後方の走行方向検知部１４のリップ１５は図１に示すように最初から矢印Ｂ方向に移動している。したがって、後進時には前方の走行方向検知部１４のみが動作することとなり、ローラー２３、回転連結部１６がリップ１５の動きを床拭き部１２に伝達し前方の床拭き部１２が床ノズル本体１１の底面から突出する。
【００１６】
このように、床ノズル本体１１の前進時には、後方の床拭き部１２のみが突出し、逆に、床ノズル本体１１の後進時には、前方の床拭き部１２のみが突出するので、前進および後進とも、まず、吸込口２２が床上の塵埃を吸引した後、床拭き部１２がその床上を拭き取ることになるので、床上の塵埃を床拭き部１２が押し出してしまい、吸込口２２からの塵埃吸引を阻害することもない。
【００１７】
また、図４に示すように、走行方向検知部１４を構成するローラー２３の周面にギヤを設け、このギヤと噛み合うギヤを回転連結部１７の周面にも設け、さらに、回転連結部１７のギヤに噛み合う凹凸を床拭き部材の側面に設けることにより、確実にリップ１５の動きを床拭き部１２の出没移動方向の動きに変えることができる。
【００１８】
なお、リップ１５は上述したとおり回転範囲が規制されるので、必要以上にリップ１５を回動させようとする力を逃がす必要があるが、そのため、リップ１５は可撓性を有する材料で形成しており、好ましくは合成樹脂製あるいはゴム材料で形成することで、可撓性性のほかに床面を傷つけることも防止することができる。
【００１９】
また、本実施例では、吸込口２２の前後にそれぞれ床拭き部１２を配したが、吸込口２２の前方あるいは後方のみに床拭き部１２を配してもよく、この場合には、本実施例の床拭き部１２の動作と同様に、床ノズル本体１１の進行方向に対して吸込口２２の方が床拭き部１２より前方に位置する場合のみ、床拭き部１２を床ノズル本体１１の底面から突出するようにする。例えば、吸込口２２より床拭き部１２を前方に設けた場合には、床ノズル本体１１を前進させる場合には、床拭き部１２を床ノズル本体１１から突出させないようにし、逆に、床ノズル本体１１を後進させる場合には、床ノズル本体１１から床拭き部１２を突出させるようにすることで、床拭き部１２が吸込口２２の吸引動作の妨げとなることを防止できる。吸込口２２の後方に床拭き部１２を設けた場合には上記前方の場合と逆にすればよい。
【００２０】
（実施例２）
次に、本発明の第２の実施例を図５を用いて説明する。
【００２１】
走行方向検知部１４のローラー２３と床ノズル本体１１の一部を接続するコイルばね１８を設け、走行方向検知部１４に外力がかからない際、このばね１８によって床拭き部１２を床ノズル本体１１の収納用凹部１３内に収納する方向にローラー２３の回転方向を付勢する。
【００２２】
上記構成による作用は以下の通りである。
【００２３】
床ノズル本体１１を持ち上げた際、床ノズル本体１１の走行方向検知部１４のリップ１５に外力がかからないため、走行方向検知部１４のローラー２３に接続したばね１８がローラー２３を回動させ、回転連結部１６が床ノズル本体１１の床拭き部１２を収納用凹部１３内に収納する方向に移動させる。よって、床ノズル本体１１を持ち上げた場合には、床拭き部１２が床ノズル本体１１より突出していることがなく、床ノズル本体１１を持ち上げて移動する場合に、突出した床拭き部１２が他の物と衝突して破損することを防止できる。
【００２４】
（実施例３）
本発明の第３の実施例を図６を用いて説明する。
【００２５】
床拭き部１２の下部に溝部１９を設け、この溝部１９に係合して着脱する床面接触部２０を設ける。
【００２６】
上記構成による作用は、以下の通りである。
【００２７】
床拭き部１２、床面接触部２０が汚れた場合、あるいは磨耗、破損した場合、容易に新しい床面接触部２０に交換が可能となる。
【００２８】
【発明の効果】
本発明の請求項１記載の発明では、底面に吸込口を有する床ノズル本体と、前記吸込口の前部及び／又は後部に前記床ノズル本体の底面より出没自在に設けた床拭き部と、前記床ノズル本体の走行方向を検知する走行方向検知部とを備え、前記走行方向検知部を、前記床ノズル本体に回転自在に取着されたローラーと、前記ローラーの周面に設けられ床面に接するリップと、前記ローラーの回動を前記床拭き部に伝達する回転連結部とから構成し、前記床ノズル本体の走行方向と反対側の床拭き部が前記リップによるローラーの回動で突出するように構成しているので、床拭き部により床上を拭き取ることができるとともに、床上の塵埃が吸込口に至るまでに床拭き部が押し出してしまうこともなく、吸込口の吸引動作と床拭き動作の両方を効率よく行うことができる。
【００２９】
本発明の請求項２記載の発明では、走行方向検知部を、床ノズル本体に回転自在に取着されたローラーと、前記ローラーの周面に設けられ床面に接するリップと、前記ローラーの回動を床拭き部に伝達する回転連結部と、前記床拭き部が床ノズル本体底面より突出しない方向に前記ローラーの回転を附勢するばね体とから構成したので、床ノズル本体を持ち上げて移動する場合に、不用意に床拭き部が他の物に当たり、破損したりすることを防止できる。
【図面の簡単な説明】
【図１】  本発明の第の実施例を示した床ノズルの断面図
【図２】  本発明の第１の実施例を示した床ノズルの前進時の断面図
【図３】  本発明の第１の実施例を示した床ノズルの後退時の断面図
【図４】  本発明の第１の実施例を示した床ノズルの要部断面図
【図５】  本発明の第２の実施例を示した床ノズルの要部断面図
【図６】  本発明の第３の実施例を示した床ノズルの床拭き部の分解斜視図
【図７】  従来例を示した床ノズルの断面図
【図８】  他の従来例を示した床ノズルの断面図
【符号の説明】
１１  床ノズル本体
１２  床拭き部
１４  走行方向検知部
１５  リップ
１６  回転連結部
１８  コイルばね
２０  床面接触部
２２  吸込口
２３  ローラー
【図１】
0003807011.tif 000002
【図２】
0003807011.tif 000003
【図３】
0003807011.tif 000004
【図４】
0003807011.tif 000005
【図５】
0003807011.tif 000006
【図６】
0003807011.tif 000007
【図７】
0003807011.tif 000008
【図８】
0003807011.tif 000009